(57)【特許請求の範囲】
【請求項１】
刃部同士を互いに対向させて配置された固定刃及び可動刃を備えており、
前記固定刃の刃部と前記可動刃の刃部との間に記録紙を通した状態で前記可動刃を前記固定刃側に移動させることで、前記可動刃と前記固定刃とを摺り合せながら前記記録紙を切断するカッター機構であって、
前記可動刃の刃部が前記固定刃の刃部に対して斜めに延在しており、
該可動刃の刃部に、前記記録紙の切断箇所に切り残し部を形成するための切り欠き部が形成されており、
該切り欠き部の両側の角部のうち、少なくとも前記固定刃の刃部との間隔が狭い方の角部が、平面視において斜辺状或いは円弧状に面取りされた面取り面であり、かつ、
該面取り面は、前記可動刃の表面に対して垂直に形成された板端面であることを特徴とするカッター機構。
【請求項２】
請求項１に記載のカッター機構と、前記記録紙に印刷を行う印刷機構と、を備えていることを特徴とするプリンタ。
【発明の詳細な説明】
【技術分野】
【０００１】
本発明は、固定刃及び可動刃を有する押し切り式（ギロチン式）のカッター機構、及びそのカッター機構を備えたプリンタに関するものである。
【背景技術】
【０００２】
例えばキャッシュレジスターや携帯端末装置等に組み込まれ、各種ラベルやレシート、チケット等を発行する装置として、ロール紙から記録紙を繰り出しながらその記録紙に印刷を行うと共に、記録紙を所望の長さにカットして発行するカッター付きプリンタが数多く提供されている。このプリンタには、様々な印刷方式のものがあるが、記録紙として例えば熱を加えると発色する感熱紙を使用し、この感熱紙にサーマルヘッドを押し付けて印刷を行うサーマルプリント方式が一般的に適用されている。このサーマルプリント方式では、トナーやインク等を使用せずに、滑らかな文字の印刷や多彩なグラフィック印字ができるため、各種ラベルやレシート、チケット等の印刷に好適である。
【０００３】
また、前記したプリンタには、記録紙をカットするカッター機構が備えられている。このカッター機構としては、従来、例えば下記特許文献１に示すような、固定刃及び可動刃を備えた押し切り式のカッター機構が知られている。前記した固定刃及び可動刃は各々の刃部同士を互いに対向させた向きで配設されており、これら固定刃の刃部と可動刃の刃部との間を通って記録紙が搬送される。そして、記録紙におけるカット位置が固定刃の刃部の位置まで移動したところで可動刃が固定刃側に移動する。これにより、固定刃及び可動刃で記録紙を挟み込み、鋏の如く、可動刃を固定刃に摺り合せながら記録紙を切断することができる。
【０００４】
また、上記した固定刃は、可動刃を固定刃に摺り合せながら記録紙を切断する際に固定刃の刃部が可動刃に対して押し付けられるようにコイルバネ等の付勢部材によって付勢されている。そのため、両刃は適度な接触圧で接するようになり、記録紙を綺麗に切断することができる。
【０００５】
また、上記した可動刃は、平面視略Ｖ字型に形成されており、可動刃を固定刃に摺り合せながら記録紙を切断する際に左右２点で固定刃に接するように設計されている。そのため、可動刃の移動に伴って、この左右２点の接触ポイントが記録紙の幅方向両側から中央に向かって紙幅方向に沿って移動する。これにより、記録紙を両側から偏りなく良好に切断することが可能である。また、平面視Ｖ字状の可動刃の刃部のうち、谷底部分（中央部）及び両側の斜辺部分には、平面視において開口端側から奥側に向かって漸次拡幅された略扁平Ｃ字形状の切り欠き部がそれぞれ形成されている。これにより、固定刃に対する可動刃の移動位置を調整することで、記録紙をパーシャルカット（一点又は複数点残し切断）したりフルカット（全幅切断）したりすることができる。
【０００６】
また、従来、例えば下記特許文献２に示すような、可動刃の表面（固定刃と対向しない側の面）、可動刃の刃部の端面及び切り欠き部の内面の各面の交点である角（三面角）に、斜面又は湾曲面を形成（角取り）する技術が提案されている。
【先行技術文献】
【特許文献】
【０００７】
【特許文献１】特開２００５−７４５９８号公報
【特許文献２】特開２００７−２０３３９０号公報
【発明の概要】
【発明が解決しようとする課題】
【０００８】
しかしながら、上記した前者の従来技術（特許文献１）では、可動刃を固定刃側に移動させて記録紙をパーシャルカットする際、切り欠き部の両側の角部のうちの刃渡り方向外側の角部（固定刃の刃部との間隔が狭い方の角部）が固定刃の刃部と重なる位置まで可動刃が移動した後、更に可動刃が移動する。このとき、前記した刃渡り方向外側の角部によって記録紙が面外方向（可動刃の移動方向）に押し出され、そのときの剪断力によって記録紙が切り残し部の端部から引きちぎられる場合があり、その結果、前記した切り残し部が破断するという不具合が生じるおそれがある。
【０００９】
また、上記した後者の従来技術（特許文献２）では、可動刃の表面、可動刃の刃部端面及び切り欠き部の内周面の各面の交点である角に斜面又は湾曲面を形成するため、角度をつけた立体的な加工（角取り加工）を施す必要があり、可動刃の製作が煩雑であるという問題がある。また、前記した斜面又は湾曲面によって切り欠き部の両側の角部が薄肉となって強度が低下するので、刃こぼれが生じやすくなるという問題がある。
【００１０】
本発明は、上記した従来の問題が考慮されたものであり、パーシャルカット時に切り残し部が破断する不具合を抑制することができ、且つ、可動刃を容易に製作することができ、さらに可動刃の刃こぼれを防止することができるカッター機構及びプリンタを提供することを目的としている。
【課題を解決するための手段】
【００１１】
本発明に係るカッター機構は、刃部同士を互いに対向させて配置された固定刃及び可動刃を備えており、前記固定刃の刃部と前記可動刃の刃部との間に記録紙を通した状態で前記可動刃を前記固定刃側に移動させることで、前記可動刃と前記固定刃とを摺り合せながら前記記録紙を切断するカッター機構であって、前記可動刃の刃部が前記固定刃の刃部に対して斜めに延在しており、該可動刃の刃部に、前記記録紙の切断箇所に切り残し部を形成するための切り欠き部が形成されており、該切り欠き部の両側の角部のうち、少なくとも前記固定刃の刃部との間隔が狭い方の角部が、平面視において斜辺状或いは円弧状に面取りされていることを特徴としている。
【００１２】
このような特徴により、可動刃を固定刃側に移動させて記録紙をパーシャルカットする際、記録紙は、可動刃の刃部と固定刃の刃部との間隔が狭い方から漸次切断されていく。このとき、切り欠き部の両側の角部のうちの固定刃の刃部との間隔が狭い方の角部が固定刃の刃部と重なる位置まで可動刃が移動した後、更に可動刃が移動することで、前記した角部（固定刃の刃部との間隔が狭い方の角部）によって記録紙が押圧されるが、前記した角部は平面視斜辺状或いは円弧状に面取りされているため、記録紙は剪断されずに面取り面にガイドされて折り曲げられる。これにより、パーシャルカット時に記録紙が切り残し部の端部から引きちぎられることが抑制される。
【００１３】
また、切り欠き部の角部が平面視斜辺状或いは円弧状に面取りされているが、この「面取り」とは、切り欠き部の内面と可動刃の刃部の端面とからなる稜部に面（平面又はＲ曲面）を付けることである。したがって、角取り加工のような立体的な加工を行う必要がないため、可動刃の製作が容易であり、また、切り欠き部の角部が薄肉にならないため、刃こぼれしやすくなることもない。
【００１４】
また、本発明に係るプリンタは、上記したカッター機構と、前記記録紙に印刷を行う印刷機構と、を備えていることを特徴としている。
このような特徴を有するプリンタにおいては、印刷機構で記録紙の各種の文字や図形等を印刷した後、カッター機構により印刷後の記録紙を所望の長さのシート（ラベルやレシート、チケット等）にパーシャルカットする。これにより、シートが切り残し部を介して記録紙に連結された状態で発行される。
特に、カッター機構により、切り残し部が破断する不具合を抑制することができるので、信頼性の高いプリンタを提供することができる。
【発明の効果】
【００１５】
本発明に係るカッター機構及びプリンタによれば、パーシャルカット時における切り残し部の端部からのちぎれが発生しにくくなり、パーシャルカット時に切り残し部が破断する不具合を抑制することができる。
また、可動刃を容易に製作することができ、さらに可動刃の刃こぼれを防止することができる。
【図面の簡単な説明】
【００１６】
【図１】本発明に係るプリンタの実施形態を示すプリンタの断面図である。
【図２】本発明に係るプリンタの実施形態を示すプリンタの外観斜視図であって、開閉扉が開いている状態を示す図である。
【図３】図２に示すプリンタの断面図であり、開閉扉を開けたときの状態を示す図である。
【図４】固定刃に対して移動する可動刃の動作を示す断面図である。
【図５】本発明に係るカッター機構の実施形態を示す平面図であり、可動刃が移動する前の状態を示す図である。
【図６】記録紙を切断する前の固定刃と可動刃を示す斜視図であり、可動刃が移動する前の状態を示す図である。
【図７】本発明に係るカッター機構の実施形態を示す平面図であり、可動刃が固定刃側に移動した状態を示す図である。
【図８】記録紙を切断する前の固定刃と可動刃を示す斜視図であり、可動刃が固定刃側に移動した状態を示す図である。
【図９】本発明に係るカッター機構の効果を検証する試験を説明するための図であり、（ａ）は試験に用いた可動刃の平面図であり、（ｂ）は（ａ）に示すＡ部分の拡大図であり、（ｃ）は、試験結果の表である。
【発明を実施するための形態】
【００１７】
以下、本発明に係るカッター機構及びプリンタの実施の形態について、図面に基づいて説明する。
なお、本実施形態では、プリンタの一例として、サーマルプリンタ１を例に挙げて説明する。
【００１８】
図１に示すサーマルプリンタ１は、ロール紙Ｒから引き出された記録紙Ｐに印刷を行った後、該記録紙Ｐを適宜切断して、ラベルやチケット、レシート等として利用することができるプリンタであって、ケーシング２と、カッター機構３と、印刷機構９と、を備えている。
【００１９】
図２及び図３に示すように、ケーシング２は、プラスチック或いは金属材料で成形されたケーシング２であり、上面に投入口２ａが空いた箱型に形成されている。ケーシング２の内部には、投入口２ａから投入されたロール紙Ｒを載置するための載置台２ｂが設けられている。この載置台２ｂは、円弧状に湾曲するように形成されており、円筒状のロール紙Ｒを安定に載置することができるようになっている。
【００２０】
ケーシング２の上面には、ヒンジ部５を介して開閉可能に固定された開閉扉６が取り付けられている。この開閉扉６は、図３に示す開状態から図１に示す閉状態に亘って一定角度の範囲内で開閉するようになっている。そして、図２、図３に示すように、開閉扉６を開けたときに投入口２ａが現れ、ロール紙Ｒをケーシング２の内部に投入したり、内部から取り出したりすることができるようになっている。また、図１に示すように、開閉扉６を閉めたときに、開閉扉６の先端とケーシング２との間に若干の隙間が空くように設計されている。そして、この隙間を利用して、ケーシング２の内部から記録紙Ｐが引き出されるようになっている。つまり、この隙間は、記録紙Ｐの排出口２ｃとして機能する。
【００２１】
なお、開閉扉６は、閉じたときに図示しないロック機構によって自動的にケーシング２に対してロックがかかるようになっている。また、このロック機構はケーシング２の外側からワンタッチで解除できるようになっており、開閉扉６を速やかに開けることができるようになっている。
【００２２】
上記したカッター機構３は、図１に示すように、刃部１１ａ，３０ａ同士を互いに対向させて配置された固定刃１１及び可動刃３０と、可動刃３０を駆動させる可動刃駆動系３１と、を備えており、図４に示すように、固定刃１１の刃部１１ａと可動刃３０の刃部３０ａとの間に記録紙Ｐを通した状態で可動刃３０を固定刃１１側に移動させることで、可動刃３０と固定刃１１とを摺り合せながら記録紙Ｐを所望長さのシートＳにカットする切断機構である。
【００２３】
このカッター機構３のうち、固定刃１１は、図１に示すように、開閉扉６の先端側の内面に設けられたプラテンユニット７に組み込まれており、可動刃３０及び可動刃駆動系３１は、ケーシング２の内部プレート２ｄ上に設けられた本体ユニット８に組み込まれている。前記したプラテンユニット７は、図１、図３に示すように、開閉扉６の開閉動作に伴って移動し、本体ユニット８に組み合わされたり、本体ユニット８から分離したりするようになっている。
【００２４】
また、固定刃１１は、図５、図６に示すように、記録紙Ｐの幅方向に延びた板状の刃であり、平行する長辺のうちの一方に刃部１１ａが形成され、刃部１１ａの反対側の根元部１１ｂが固定刃ホルダ１２で保持されている。この固定刃１１は、図１に示すように開閉扉６が閉じたときに、刃部１１ａが送り出された記録紙Ｐに対向するように固定刃ホルダ１２に保持されている。この際、固定刃１１は、根元部１１ｂ寄りに位置すると共に刃渡り方向に延在する図示せぬ回転軸線を中心として刃部１１ａが上下（可動刃３０の移動方向に略直交する方向）に揺動可能に保持されている。
なお、前記した「刃渡り方向」とは、固定刃１１の長辺方向、つまり、記録紙Ｐの幅方向に沿って延びる長手方向である。
【００２５】
可動刃３０は、記録紙Ｐの幅方向に延びた板状の刃であり、固定刃１１と協働してカッターとして機能するものである。この可動刃３０は、図１に示すように開閉扉６が閉じて本体ユニット８とプラテンユニット７とが組み合わさったときに、記録紙Ｐを挟んで固定刃１１に対して向き合う位置に配設されている。そして、この可動刃３０は、図７に示すように固定刃１１側に向かってスライド移動したときに、図４、図８に示すように、固定刃１１の上面に乗り上がるように固定刃１１に摺り合わせられる。
【００２６】
上記した可動刃３０の刃部３０ａは、図５、図６に示すように、固定刃１１の刃部１１ａに対して斜めに延在している。詳しく説明すると、可動刃３０の刃部３０ａは、固定刃１１の刃部１１ａとの間隔が、刃渡り方向の両端から中央に向かって漸次拡がるように平面視略Ｖ字状に形成されている。
なお、前記した「刃渡り方向」とは、固定刃１１の場合と同様に可動刃３０の長辺方向、つまり、記録紙Ｐの幅方向に沿って延びる長手方向である。
【００２７】
また、可動刃３０の刃部３０ａには、記録紙Ｐの切断箇所に切り残し部を形成するための切り欠き部３２が形成されている。この切り欠き部３２は、可動刃３０のスライド移動方向に延在する平面視略長方円形状のスリット（溝）であり、少なくとも平面視Ｖ字状の刃部３０ａの谷底部分（刃渡り方向の中央部分）よりも可動刃３０の根元側（刃部３０ａの反対側の長辺部側）の位置まで延在している。この切り欠き部３２は、平面視Ｖ字状の刃部３０ａの谷底部分（刃渡り方向の中央部分）を挟んで左右対称にそれぞれ形成されている。
【００２８】
また、上記した切り欠き部３２の両側の角部のうち、固定刃１１の刃部１１ａとの間隔が狭い方の角部３２ａが平面視において斜辺状に面取りされており、切り欠き部３２の内面と可動刃３０の刃部３０ａの端面との間に、平面視において可動刃３０のスライド移動方向に対して傾斜した斜面３３（面取り面）が形成されている。この斜面３３は、可動刃３０の表面に対して略垂直に形成された板端面であり、平面状に形成されている。
【００２９】
可動刃駆動系３１は、図５、図７に示すように、可動刃３０を支持する支持プレート４６に取り付けられたラック４０と、該ラック４０に噛合された図示せぬピニオンと、該ピニオンに図示せぬ歯車を介して動力（回転力）を伝達して前記ピニオンを駆動（回転）させる正逆回転可能な図示せぬモータと、を備えている。
【００３０】
上記した印刷機構９は、図１に示すように、ロール紙Ｒから繰り出された記録紙Ｐ（感熱紙）を感熱発色面側から加熱して感熱発色面に印字を行う感熱式のサーマルプリント機構であり、プラテンローラ１０及びサーマルヘッド４を備えている。この印刷機構９のうち、プラテンローラ１０は前記したプラテンユニット７に組み込まれており、サーマルヘッド４は前記した本体ユニット８に組み込まれている。
【００３１】
プラテンローラ１０は、図１に示すように、開閉扉６が閉じられてプラテンユニット７と本体ユニット８とが組み合わされたときに、記録紙Ｐを間に挟んだ状態で本体ユニット８側のサーマルヘッド４に対して外周面が接触するように配置されている。また、プラテンローラ１０は、開閉扉６を閉じた後、本体ユニット８側から伝達された回転力によって回転し、ロール紙Ｒから引き出された記録紙Ｐを排出口２ｃからケーシング２の外部に送り出すことができるようになっている。
【００３２】
サーマルヘッド４は、図２に示すように記録紙Ｐの幅方向に延びるように形成されていると共に、図１に示すように開閉扉６が閉じたときにプラテンローラ１０に対向する位置に配置されている。また、このサーマルヘッド４は、多数の図示しない発熱素子を有していると共に、図示しないコイルバネ等によってプラテンローラ１０側に付勢された状態となっている。これにより、プラテンローラ１０によって送り出される記録紙Ｐに対してサーマルヘッド４を確実に押し付けることができ、良好な印刷が可能とされている。
【００３３】
次に、上述した構成からなるサーマルプリンタ１の動作について説明する。
【００３４】
まず、図２及び図３に示すように、開閉扉６を開けた状態でロール紙Ｒを投入口２ａからケーシング２内に投入する。この際、予め記録紙Ｐをケーシング２の外側に、ある程度の長さだけ引き出しておく。そして、引き出した記録紙Ｐをケーシング２の外側に引き出した状態のまま、図１に示すように開閉扉６を閉めロック機構により開閉扉６をロックする。これにより、本体ユニット８とプラテンユニット７とが、互いに組み合わさった状態となり、固定刃１１が可動刃３０に対向して配置されると共にプラテンローラ１０がサーマルヘッド４に対向して配置される。また、記録紙Ｐは、プラテンローラ１０とサーマルヘッド４との間に挟まれた状態になると共に、排出口２ｃからケーシング２の外側に引き出された状態となる。
【００３５】
上述したロール紙Ｒのセットが終了した後、記録紙Ｐに対して各種情報の印刷を行う。
まず、図示せぬプラテン用モータを駆動してプラテンローラ１０を回転させる。これにより、プラテンローラ１０の外周面とサーマルヘッド４との間に挟まれた記録紙Ｐがケーシング２の上方に送り出されると共に、載置台２ｂ上に載置されたロール紙Ｒが回転して記録紙Ｐが順次繰り出される。
また、これと同時にサーマルヘッド４を作動させる。これにより、多数の発熱素子が適宜熱を発する。これにより、送り出された記録紙Ｐに対して、各種の文字や図形等を明瞭に印刷することができる。
【００３６】
その後、プラテンローラ１０によってさらに送り出された記録紙Ｐは、カッター機構３に送り込まれて固定刃１１と可動刃３０との間を通過し、このカッター機構３によって所望長さのシートＳにカットされる。
【００３７】
詳しく説明すると、記録紙Ｐの切断箇所（シートＳの後端部）が固定刃１１の刃部１１ａの位置に到達したところで、上記したプラテンローラ１０の回転を停止して記録紙Ｐの搬送を一時停止する。そして、可動刃駆動系３１の図示せぬカッター用モータを正方向に駆動させる。これにより、カッター用モータの動力が図示せぬ歯車を介して図示せぬピニオンに伝達されて当該ピニオンが回転し、このピニオンの回転に伴ってラック４０が図５に示す位置から図７に示す位置に向かって移動し、このラック４０と共に可動刃３０及び支持プレート４６が固定刃１１側にスライド移動する。
【００３８】
スライド移動した可動刃３０は、図４に示すように、固定刃１１の上面に乗り上がるように固定刃１１に摺り合せられるので、互いの刃部１１ａ、３０ａが重なる。これにより、記録紙Ｐを固定刃１１と可動刃３０との間で挟み込んで切断することができる。
この際、可動刃３０は、平面視略Ｖ字型に形成されているので、左右の２点で固定刃１１に接する。よって、記録紙Ｐは、可動刃３０の刃部３０ａと固定刃１１の刃部１１ａとの間隔が狭い方から漸次切断されていく。すなわち、可動刃３０のスライド移動に伴って、記録紙Ｐは幅方向の両側から中央に向かって切断される。これにより、記録紙Ｐを偏りなく良好に切断することができる。
なお、可動刃３０がスライドしてきた際、固定刃１１は可動刃３０によってプラテンローラ１０側に押し下げられた状態となる。しかしながら、固定刃１１は、図示せぬコイルバネによって上方に付勢させられているので、適度な接触圧で可動刃３０に接するようになっている。
【００３９】
また、図７、図８に示すように、可動刃３０の刃部３０ａの谷底部分（刃渡り方向の中央部分）が固定刃１１の刃部１１ａに到達し、固定刃１１の刃部１１ａが切り欠き部３２を越えない位置まで可動刃３０を移動させることで、記録紙Ｐをパーシャルカットすることができる。すなわち、可動刃３０の刃部３０ａの谷底部分が固定刃１１の刃部１１ａに到達した時点で可動刃３０のスライド移動を停止することで、切り欠き部３２の箇所で記録紙Ｐに破断容易な切り残し部（２箇所）が形成され、その切り残し部を介してシートＳが記録紙Ｐに連結された状態となる。
【００４０】
このとき、切り欠き部３２の両側の角部のうちの固定刃１１の刃部１１ａとの間隔が狭い方の角部３２ａ（斜面３３）が固定刃１１の刃部１１ａと重なる位置まで可動刃３０がスライド移動した後、更に可動刃３０がスライド移動することで、前記した角部３２ａによって記録紙Ｐが押圧されるが、角部３２ａは平面視斜辺状に面取りされているため、図８に示すように記録紙Ｐの幅方向両側部分は剪断されずに角部３２ａに形成された斜面３３にガイドされてそれぞれ折り曲げられる。これにより、記録紙Ｐがパーシャルカット時の切り残し部の端部から引きちぎられることが抑制される。
【００４１】
なお、固定刃１１の刃部１１ａが切り欠き部３２を越える位置まで可動刃３０を移動させることで、上記した切り残し部を形成することなく、記録紙Ｐを幅方向全体に亘って切断（フルカット）することができる。
【００４２】
ここで、上記したカッター機構３によるちぎれ抑制効果について検証した試験について説明する。
本試験は、記録紙Ｐの２点残しのパーシャルカットを行い、そのときの切り残し部の端部におけるちぎれの発生回数をカウントするものである。詳しく説明すると、まず、試験体として３種類の可動刃を用意した。第一試験体は、切り欠き部の角部が面取りされていない従来型の可動刃であり、第二及び第三試験体は、図９（ａ）に示すように切り欠き部３２の角部３２ａが面取りされた可動刃３０であり、その面取り角度θ（図９（ｂ）に示す）はそれぞれ１５度、３０度であり、面取りされた刃部幅ｄ（図９（ｂ）に示す）はいずれも０．３ｍｍ（±０．０５ｍｍ）である。また、切り欠き部３２の幅寸法（溝幅ｗ）はそれぞれ０．８ｍｍである。そして、上記した第一から第三試験体を用いて、それぞれ１００回ずつパーシャルカットを行った。
上記した試験の結果は、図９（ｃ）に示すように、切り残し部の端部におけるちぎれの発生回数は、面取り無しの第一試験体で２１回であり、面取り有りの第二、第三試験体でそれぞれ８回、９回であり、面取り有りの第二、第三試験体の方が面取り無しの第一試験体よりもパーシャルカット成功率が高いことが確認できた。
【００４３】
上記した試験結果からも分かるとおり、上記したカッター機構３及びサーマルプリンタ１によれば、パーシャルカット時における切り残し部の端部からのちぎれが発生しにくくなり、パーシャルカット時に切り残し部が破断する不具合を抑制することができる。信頼性の高いサーマルプリンタ１を提供することができる。
【００４４】
また、切り欠き部３２の角部３２ａが平面視斜辺状に面取りされた構成であるので、角取り加工のような立体的な加工を行う必要がないため、可動刃３０を容易に製作することができる。しかも、切り欠き部３２の角部３２ａが薄肉にならないため、刃こぼれしやすくなることもない。
【００４５】
以上、本発明に係るカッター機構及びプリンタの実施の形態について説明したが、本発明は上記した実施形態に限定されるものではなく、その趣旨を逸脱しない範囲で適宜変更可能である。
例えば、上記した実施形態では、切り欠き部３２の角部３２ａが平面視斜辺状に面取りされているが、本発明は、切り欠き部３２の角部３２ａが平面視円弧状に面取りされ、切り欠き部３２の内面と可動刃３０の刃部３０ａの端面との間にＲ曲面が形成された構成であってもよい。
【００４６】
また、上記した実施形態では、切り欠き部３２の両側の角部のうち、固定刃１１の刃部１１ａとの間隔が狭い方の角部３２ａが面取りされ、間隔が大きい方の角部が面取りされていないが、本発明は、切り欠き部３２の両側の角部をそれぞれ面取りしても構わない。
【００４７】
また、上記した実施形態では、可動刃３０の刃部３０ａに平面視略長方円形状の２つの切り欠き部３２が形成されており、２点残しのパーシャルカットを行うカッター機構３について説明しているが、本発明は、切り欠き部３２の数や位置、形状は適宜変更可能である。例えば、可動刃３０の刃部３０ａの谷底部分（刃渡り方向の中央部分）に切り欠き部３２を形成して１点残しのパーシャルカットを行うことができるカッター機構としてもよい。また、可動刃３０の刃部３０ａに平面視矩形状や半円状、扁平Ｃ字形状等の切り欠き部を形成することも可能である。
【００４８】
また、上記した実施形態では、可動刃３０の刃部３０ａが平面視Ｖ字状に形成されているが、本発明は、可動刃３０の刃部３０ａが固定刃１１の刃部１１ａに対して傾斜していれば他の形状であってもよい。例えば、可動刃３０の刃部３０ａが刃渡り方向の一端から他端に亘って斜めに延在した形状であってもよい。
【００４９】
また、上記した実施形態では、プリンタの一例としてサーマルプリンタ１を例に挙げて説明したが、本発明はサーマルプリンタ１に限定されるものではない。例えば、印刷機構をインクジェットヘッドとし、インク滴を利用して記録紙に印刷するインクジェットプリンタであっても構わない。
【００５０】
また、上記した実施形態では、ケーシング２の上面に開閉扉６が設けられたサーマルプリンタ１について説明しているが、ケーシング２の前面に開閉扉６を設け、印刷された記録紙Ｐが前面側から排出されるように設計しても構わない。また、ロール紙Ｒを投入して単に載置台２ｂ上に置くドロップイン方式のサーマルプリンタ１について説明しているが、この方式ではなく、ケーシング２の内部にロール紙Ｒを軸支（回転可能に支持）する軸支機構を設けた軸支式のサーマルプリンタとしても構わない。
【００５１】
また、上記した実施形態では、固定刃１１が組み込まれたプラテンユニット７を開閉扉６側に設け、可動刃３０が組み込まれた本体ユニット８をケーシング２側に設けた構成としたが、これとは逆にプラテンユニット７をケーシング２側に設け、本体ユニット８を開閉扉６側に設けても構わない。
更に、固定刃１１を本体ユニット８側に設け、可動刃３０をプラテンユニット７側に設けても構わない。つまり、固定刃１１及び可動刃３０は、本体ユニット８又はプラテンユニット７のいずれのユニットに設けても良く、プリンタの設計に応じて適宜選択して構わない。
【００５２】
また、上記した実施形態では、本体ユニット８とプラテンユニット７とが開閉扉６の開閉に伴って分離するタイプのサーマルプリンタ１を例に挙げ、これに合わせて固定刃１１と可動刃３０とが分離する分離型タイプのカッター機構３について説明したが、本体ユニット８とプラテンユニット７とが分離しないタイプのサーマルプリンタにカッター機構３を採用しても構わない。この場合には、固定刃１１と可動刃３０とが分離しない一体型のカッター機構にすれば良い。
【００５３】
また、上記した実施形態では、カッター機構３が一体的に組み込まれたサーマルプリンタ１を例に挙げたが、カッター機構３だけを分離できるような構成としても構わない。
【００５４】
また、上記した実施形態では、可動刃３０を固定刃１１の下流側に配置させ、可動刃３０が固定刃１１の上面に乗り上がるように構成したが、カッター機構３を分離型或いは一体型のいずれに場合に構成する場合であっても、可動刃３０を固定刃１１の上流側に配置させても構わない。いずれにしても、固定刃１１と可動刃３０との位置関係は、どちらが上流側或いは下流側に配設されていても構わない。
【００５５】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５６】
Ｐ…記録紙
１…サーマルプリンタ（プリンタ）
３…カッター機構
９…印刷機構
１１…固定刃
１１ａ…固定刃の刃部
３０…可動刃
３０ａ…可動刃の刃部
３２…切り欠き部
３２ａ…切り欠き部の角部
【図１】
0005778958.tif 000002
【図２】
0005778958.tif 000003
【図３】
0005778958.tif 000004
【図４】
0005778958.tif 000005
【図５】
0005778958.tif 000006
【図６】
0005778958.tif 000007
【図７】
0005778958.tif 000008
【図８】
0005778958.tif 000009
【図９】
0005778958.tif 000010